【事件の表示】
　平成　４年特許願第１６９８８５号「パチンコ機における払出制御装置」拒絶査定不服審判事件〔平成　５年１２月２１日出願公開、特開平　５−３３７２３８〕について、次のとおり審決する。
【結　論】
　本件審判の請求は、成り立たない。
【理　由】
１． 手続きの経緯、本願発明
　本願は、平成４年６月５日に出願されたものであって、その請求項１及び２に係る発明は、平成１２年１２月１１日付け手続補正書、平成１３年１１月２６日付け手続補正書及び平成１４年２月５日付けの手続補正書により補正された明細書及び図面の記載からみて、本願の特許請求の範囲の請求項１及び２に記載されたとおりのものと認められるところ、その請求項１に記載された発明（以下、「本願発明」という。）は次のとおりである。
　
【請求項１】回転体の回転量を設定することにより駆動制御される球排出装置と、前記球排出装置を駆動制御する制御部とを有し、前記制御部に、多数個払い、少数個払いの賞品球数の異なる各別の入賞口に対する入賞検出信号を判別する入賞信号判定手段と、前記多数個払い、少数個払いの賞品球数の組み合せを複数組有し、該複数組の賞品球数に対応した前記回転体の回転量の繰り返し回数が設定記憶された賞品球数テーブルと、前記制御部とは独立して設けられ、該制御部に電気的に接続され、複数組の出力信号を切替えることにより前記賞品球数テーブルの所定アドレスを該制御部に設定する払出し個数設定手段とを備え、入賞を検出した場合には、前記払出し個数設定手段により設定された、一組の多数個払い、少数個払いに対する前記回転体の回転量の繰り返し回数の値のうちから、前記入賞信号判定手段により判別された多数個払い、少数個払いに対する値を設定し、前記球排出装置によって賞品球を払出し、球貸し要求を検出した場合には、該球貸し要求に対応した回転体の回転量の繰り返し回数を設定し、前記球排出装置によって貸球を貸し出すことを特徴とするパチンコ機における払出制御装置。
　
　なお、本願については、平成１６年８月１６日付けの手続補正がされたが、これは平成１６年９月３０日付けの補正の却下の決定により却下された。これに対し審判請求人は不服を申し立てていない。
　
２． 当審の拒絶理由
　一方、当審において平成１６年５月２７日付けで通知した拒絶の理由の概要は、本願発明は、本願の出願前に頒布された刊行物である下記の引用例１乃至５に記載された発明に基づいて当業者が容易に発明をすることができたものであるから、特許法第２９条第２項の規定により特許を受けることができない、というものである。
　
引用例１：特開平３−１１１０７２号公報
引用例２：特開昭６３−１６８１９３号公報
引用例３：特開平３−２８６７９０号公報
引用例４：特開昭６４−３４３９０号公報
引用例５：特開平４−５１９８３号公報
　
２−１．引用例に記載された発明
（１）引用例１
　引用例１［特開平３−１１１０７２号公報］には、パチンコ機に関し、図面とともに、次の事項が記載されている。
(1-1)「１．入賞口（19a,19b）に入球したセーフ球を検出するセーフ球検出手段（27）と、
　任意の個数の賞球を賞球皿に払い出す球切り装置（9）と、
　機械的に構成され、任意の複数種類の出力信号を設定可能な入力手段（42〜45）と、
　前記入力手段（42〜45）からの信号に応じた所定の賞球数を記憶する賞球数記憶手段（46）と、
　前記セーフ球検出手段（27）がセーフ球を検出すると、前記賞球数記憶手段（46）が記憶した賞球数を読み出し、前記球切り装置（9）を制御してその賞球数の賞球を払い出す払出し制御手段（35）とを備えたパチンコ機。」（第１頁左欄第５−１９行）
(1-2)「第1,3図は球供給路５の詳細を示す正面図であり、この球供給路５の一側には所定個数の賞球を前記賞球皿に払い出すための球切り装置９が設置されている。この球切り装置９のスプロケット10の外周には多数の係合凹部10aが形成され、同スプロケット10の一側は透孔5aを介して球供給路５内に突出している。スプロケット10の近接位置には球切り装置９の球切りソレノイド11が設置され、同ソレノイド11のブラケット11aには可動鉄片12が回動可能に軸着されている。
  そして、球切りソレノイド11の非励磁時においては、第１図に示すように引張りばね13の付勢により可動鉄片12の先端が前記スプロケット10の係合凹部10aに掛止されてスプロケット10を回転不能にする。その結果、球供給路５内の賞球はスプロケット10により落下を阻止される。又、球切りソレノイド11の励磁時においては、第３図に示すように可動鉄片12が同ソレノイド11のコア11bに吸引され、前記スプロケット10の掛止が解除されて回転自在となる。その結果、球供給路５内の賞球はスプロケット10の回転に伴い落下する。尚、通常時の球切りソレノイド11は非励磁状態のため賞球は落下を阻止されている。」（第３頁左上欄第１０行−右上欄第１３行）
(1-3)「前記コントロールボックス29の内部には払出し制御手段としての中央処理装置35（以下、CPUという）及び駆動回路36〜40が収納されている。又、CPU35の入力側にはゲーム基板33が接続され、そのゲーム基板33には盤面センサ18が接続されている。又、CPU35の入力側には第１から第４の賞球数設定器42〜45、前記セーフ球センサ27、上側及び下側賞球センサ14,15、球抜きスイッチ28、及びリセットスイッチ30が接続されている。又、CPU35の出力側には前記球切りソレノイド11、球抜きソレノイド17、セーフ球ソレノイド22、第１及び第２の表示ランプ31,32がそれぞれ前記駆動回路36〜40を介して接続されている。尚、本実施例のパチンコ機においてゲーム基板33はコントロールボックス29外に設置されているが、コントロールボックス29内に設置してもよい。
  前記第１から第４の賞球数設定器42〜45は、遊技中に球切り装置９により払い出される賞球の数を予め設定するためのものであり、CPU35の入力側にそれぞれ２種類のレベルの信号を選択的に入力するようになっている。
　又、CPU35には賞球数記憶手段としてのランダムアクセスメモリ（RAM）46、並びにリードオンリメモリ（ROM）47が内蔵されている。ROM47には第１及び第２の設定賞球数が前記各賞球数設定器42〜45の入力状態の組み合わせに応じて複数組記憶されている。又、ROM47には各種プログラムが記憶され、これらプログラムに従ってCPU35が各種処理を実行するようになっている。尚、前記RAM46はCPU35が行なう処理のデータを一時的に記憶するようになっている。」（第４頁左下欄第９行−第５頁左上欄第２行）
(1-4)「第10図は「賞球数設定ルーチン」のフローチャートを示し、まず、CPU35はステップ５で第１から第３の賞球数設定器42〜44の設定状態（「０」か「１」か）をそれぞれ読込む。次に、CPU35はステップ６で設定器42が「０」、設定器43が「０」、設定器44が「０」であるか否か、（以下、『0,0,0』で表示する）を判定する。そして、『0,0,0』である場合にはステップ７で前記RAM46に第１の設定賞球数として「５」を書き込み、ステップ８でRAM46に第２の設定賞球数として「10」を書き込んでステップ29へ移行する。
  又、前記ステップ６で各設定器42〜44の設定状態が『0,0,0』でない場合、CPU35はステップ９に移行して上記した場合と同様に、各設定器42〜44の設定状態が『0,0,1』であるか否かを判定する。そして、『0,0,1』である場合、CPU35はステップ10でRAM46に第１の設定賞球数として「６」を書き込み、ステップ11でRAM46に第２の設定賞球数として「11」を書き込んで前記ステップ29に移行する。従って、各設定器42〜44の設定状態が『0,0,0』であるときには第１及び第２の設定賞球数として「５」，「10」が設定され、『0,0,1』であるときには第１及び第２の設定賞球数として「６」，「11」が設定されることになる。
  以下、同様にCPU35はステップ12で各設定器42〜44の設定状態が『0,1,0』である場合、ステップ13で第１の設定賞球数として「６」を、ステップ14で第２の設定賞球数として「12」を設定し、ステップ15で各設定器42〜44の設定状態が『0,1,1』である場合、ステップ16で第１の設定賞球数として「７」を、ステップ17で第２の設定賞球数として「13」を設定する。
  又、CPU35はステップ18で各設定器42〜44の設定状態が『1,0,0』である場合、ステップ19で第１の設定賞球数として「８」を、ステップ20で第２の設定賞球数として「13」を設定し、ステップ21で各設定器42〜44の設定状態が『1,0,1』である場合、ステップ22で第１の設定賞球数として「９」を、ステップ23で第２の設定賞球数として「13」を設定する。
  さらに、CPU35はステップ24で各設定ポート42〜44の設定状態が『1,1,0』である場合、ステップ25で第１の設定賞球数として「10」を、ステップ26で第２の設定賞球数として「14」を設定する。又、各設定器42〜44の設定状態が上記したいずれの条件にもあてはまらない場合（『1,1,1』である場合）、CPU35はステップ27で第１の設定賞球数として「８」を、ステップ28で第２の設定賞球数として「15」を設定する。そして、いずれの場合でもCPU35は設定後に前記ステップ29に移行する。」（第５頁右上欄第９行−第６頁左上欄第５行）
(1-5)「又、本実施例のパチンコ機は、特定入賞口19aとその他の入賞口19bのいずれにセーフ球が入球したかを判別する盤面センサ18（入賞口判別手段）を備え、この盤面センサ18の検出結果に基いてセーフ球が特定入賞口19aに入球したときには第２の設定賞球数の賞球が払い出され、その他の入賞口19bに入球したときには第１の設定賞球数の賞球が払い出されるようにした。」（第１１頁左上欄第４−１１行）
(1-6)「尚、この発明は上記実施例に限定されることはなく、例えば、上記実施例においては、第１から第４の賞球数設定器42〜45を抵抗によって構成し、２つの抵抗の分割比に応じてCPU35の入力側に加わる電圧を変更したが、第12図に示すように、前記R1〜R4をスイッチS1〜S4に代えてもよい。この場合にはスイッチS1〜S4のオン・オフに応じてCPU35の入力側に加わる電圧が変更されることになる。又、第13図に示すように、全ての抵抗R1〜R8をコンデンサC1〜C8に代えてもよい。この場合、コンデンサ容量の逆分割比に応じてCPU35の入力側に加わる電圧が変更されることになる。さらに、第14図に示すように、賞球数設定器として可変抵抗からなる１本のポートを用い、その可変抵抗の設定状態（CPU35の入力側電圧）に応じてCPU35が前記第１及び第２の設定賞球数を選出するようにしてもよい。」（第１１頁左上欄第１７行−右上欄第１４行）
　
　以上の記載によれば、引用例１には、
「スプロケット１０を回転可能あるいは回転不能とする球切りソレノイド１１を備える球切り装置９と、前記球切りソレノイド１１を駆動制御する駆動回路３６を備えるＣＰＵ３５と、第１の設定賞球数、第２の設定賞球数のそれぞれに対応した特定入賞口１９ａ、その他の入賞口１９ｂのいずれかにセーフ球が入球したかを判別する盤面センサ１８と、前記第１の設定賞球数、第２の設定賞球数の組合せを複数組有し、該複数組の設定賞球数が記憶されたＲＯＭ４７と、前記ＣＰＵ３５とは独立して設けられ、該ＣＰＵ３５に電気的に接続され、複数組の出力信号を機械的に設定可能な賞球数設定器４２〜４４とを備え、セーフ球が入球した場合には、前記賞球数設定器４２〜４４により設定された、第１の設定賞球数、第２の設定賞球数のうちから、前記盤面センサ１８により判別された特定入賞口１９ａ、その他の入賞口１９ｂに対応する賞球数を設定し、前記球切り装置９によって賞品球を払い出すパチンコ機における払出し制御装置。」
　との発明（以下「引用発明」という）が開示されているものと認められる。
　
（２）引用例２
　引用例２［特開昭６３−１６８１９３号公報］には、パチンコ機の払出機に関し、図面とともに、次の事項が記載されている。
(2-1)「(１)パチンコ球の流れを案内する通路と、該通路の一部を切り開いて形成した計数用の歯車と、該歯車の回転駆動をするモータと、該モータを所定角度回転させる制御回路と、該制御回路に前記モータの回転角度を設定する設定スイッチと、を備えたことを特徴とするパチンコ機の払出機。」（第１頁左欄第５−１１行）
(2-2)「計数歯車３はギヤ５，６，７を介してステッピングモータ８で回転駆動されるので、制御回路１１の設定器１２によって計数歯車３の回転角度を設定しておけば、ステッピングモータ８はその設定値に応じた回転数だけ回転し、必要な数の球２を正確に払い出すことになる。払い出された球２の数はセンサ１０によって計数され、常に設定数の球２が払い出されることになる。」（第２頁左下欄第８−１６行）
　
（３）引用例３
　引用例３［特開平３−２８６７９０号公報］には、弾球遊技機に関し、図面とともに、次の事項が記載されている。
(3-1)「この発明は、払出すべき景品玉数を計数しながら作動する景品玉払出装置を備えると共に、遊技盤が弾球遊技機本体に対して交換可能に構成された弾球遊技機に関するものである。」（第１頁左欄第２０行−右欄第３行）
(3-2)「そこで、まず、景品玉の払出動作の制御について説明すると、払出制御回路91は、選択回路90で選択された記憶回路が記憶回路Ａとした場合に、その記憶回路Ａの記憶に基づいて駆動回路95を介してステッピングモータ54に駆動信号を与える。ステッピングモータ54が回転し始めるとスプロケット56も回転するので、玉載置部50に待機していた景品玉が排出通路46に１個づつ放出される。そして、景品玉が１個づつ放出される毎に払出景品玉検出器44が供給通路42を落下する景品玉を検出するので、その検出信号が検出回路96を介して分岐回路92に与えられる。分岐回路92は、入力した検出信号を選択回路90で選択されている記憶回路Ａに「−１」の減算信号として送る。上記した制御動作を１個の入賞玉に対応する景品玉数分だけ繰り返した後に、一定時間（例えば、0.5秒程度）を空けて次の入賞玉がある場合には、その入賞玉に対応する景品玉数を払出制御する。また、景品玉が１個払出される毎に記憶回路の記憶値が減少し、その数値は、記憶景品玉数表示器21に刻々と表示される。更に、ステッピングモータ54が駆動されている期間中は、払出動作中表示器19が点灯されている。このように、景品玉払出装置40は、払出されるべき景品玉数を１個宛計数しながら作動するものである。なお、払出景品玉数検出器44は、排出通路46に設けたものでもよい。」（第８頁左上欄第７行−右上欄第１３行）
　
（４）引用例４
　引用例４［特開昭６４−３４３９０号公報］には、遊技機に関し、図面とともに、次の事項が記載されている。
(4-1)「本発明は、パチンコ遊技機やコイン遊技機あるいはスロットマシンなど、遊技用媒体を払出す遊技用媒体払出手段を備えた遊技機に関する。」（第１頁右欄第１−３行）
(4-2)「これら入賞玉検出器の検出出力に基づいて、遊技用媒体払出手段の一例である景品玉払出装置352が駆動制御され、景品玉払出装置内のパチンコ玉を景品玉通路354側に送り出し、所定量の景品玉を景品玉出口323から打球供給皿324（第８図参照）に所定量払出すように構成されている。」（第７頁右上欄第１８行−左下欄第４行）
(4-3)「図中、340はカード挿入口であり、346はカード制御ボックス、348は選択制御ボックスであり、貸玉信号指令ボタン344（第８図参照）に対応しているものである。このカード挿入口340からカードを挿入し、貸玉信号指令ボタン344（第８図参照）を操作することにより、後述するように、景品玉払出装置352が駆動制御され、所定量のパチンコ玉が貸出されるように構成されている。」（第７頁左下欄第１８行−右下欄第６行）
(4-4)　第１２図のフローチャートの記載からみて、入賞玉に基づくパチンコ玉払い出しを、パチンコ玉の貸し出しに優先して行われるものと認められる。
　
（５）引用例５
　引用例５［特開平４−５１９８３号公報］には、図面とともに、次の事項が記載されている。
(5-1)「本発明はプリペイドカードを使用して玉貸用の球を得ることが可能なパチンコ機に関する。」（第１頁右欄第１３−１４行）
(5-2)「すなわち、役物制御部111より排出制御信号が入力された場合に、球排出装置制御部112はセーフ球に基づく賞球排出を球排出装置25に行わせ、玉貸制御部108より玉貸信号が入力された場合に、球排出装置制御部112はプリペイドカードの使用に基づく玉貸用の球排出を球排出装置25に行わせるので、当該パチンコ機１における唯一の球排出手段たる球排出装置25によって、セーフ球に基づく賞球排出動作と玉貸信号に基づく玉貸用の球排出動作とを行うことができる。」（第１３頁左上欄第１７行−右上欄第７行）
(5-3)「上記のようにして賞球・玉貸排出処理を行うことにより、セーフセンサ29a,29bが検出したセーフ球に基づく賞球排出処理等を行っている間には、ハイレベルの玉貸規制信号を玉貸制御装置106の玉貸制御部108へ送信することで、玉貸制御部108から玉貸信号が電気的制御装置110へ送信されることを規制し、玉貸制御部108から送信された玉貸信号が無効になることを防ぐと共に、セーフ球に基づく賞球排出を優先的に行うことができる。」（第１６頁右上欄第１７行−左下欄第６行）
　
３．本願発明と引用発明との対比検討
（１）本願発明と引用発明との対比
　本願発明と引用発明とを対比すると、後者の「ＣＰＵ３５」「第１の設定賞球数」「第２の設定賞球数」「入賞口１９ａ，１９ｂ」「賞球数設定器４２〜４４」「パチンコ機における球切り装置」は、それぞれ前者における「制御部」「少数個払いの賞品球数」「多数個払いの賞品球数」「各別の入賞口」「払出し個数設定手段」「パチンコ機における払出制御装置」に対応する。
　また、後者の「スプロケット１０を回転可能あるいは回転不能とする球切りソレノイド１１を備える球切り装置９」と、前者の「回転体の回転量を設定することにより駆動制御される球排出装置」とは、後者の「スプロケット１０」は回転体であり、後者の「球切り装置９」は「球排出装置」といえるから、「回転体を備えた球排出装置」であることで共通する。
　また、後者の「第１の設定賞球数、第２の設定賞球数の組合せを複数組有し、該複数組の設定賞球数が記憶されたＲＯＭ４７」と、前者の「多数個払い、少数個払いの賞品球数の組み合せを複数組有し、該複数組の賞品球数に対応した回転体の回転量の繰り返し回数が設定記憶された賞品球数テーブル」とは、「多数個払い、少数個払いの賞品球数の組み合せを複数組有し、該複数組の賞品球数に対応したデータが設定記憶された記憶部」で共通する。
　また、後者の「複数組の出力信号を機械的に設定可能な賞球数設定器４２〜４４」と、前者の「複数組の出力信号を切替えることにより賞品球数テーブルの所定アドレスを制御部に設定する払出し個数設定手段」とは、「複数組の出力信号を切替えることにより記憶部の賞品球数を制御部に設定する払出し個数設定手段」で共通する。
　また、後者の「セーフ球が入球した場合には、前記賞球数設定器４２〜４４により設定された、第１の設定賞球数、第２の設定賞球数のうちから、前記盤面センサ１８により判別された特定入賞口１９ａ、その他の入賞口１９ｂに対応する賞球数を設定し、前記球切り装置９によって賞品球を払い出す」ことと、前者の「入賞を検出した場合には、前記払出し個数設定手段により設定された、一組の多数個払い、少数個払いに対する前記回転体の回転量の繰り返し回数の値のうちから、前記入賞信号判定手段により判別された多数個払い、少数個払いに対する値を設定し、前記球排出装置によって賞品球を払出」すこととは、「入賞を検出した場合には、前記払出し個数設定手段により設定された、一組の多数個払い、少数個払いに対する値のうちから、前記入賞信号判定手段により判別された多数個払い、少数個払いに対する値を設定し、前記球排出装置によって賞品球を払出す」ことで共通する。
　
　そうすると、本願発明と引用発明の両者は、「回転体を備えた球排出装置と、前記球排出装置を駆動制御する制御部とを有し、前記制御部に、多数個払い、少数個払いの賞品球数の異なる各別の入賞口に対する入賞検出信号を判別する入賞信号判定手段と、前記多数個払い、少数個払いの賞品球数の組み合せを複数組有し、該複数組の賞品球数に対応した賞品球数が設定記憶された記憶部と、前記制御部とは独立して設けられ、該制御部に電気的に接続され、複数組の出力信号を切替えることにより前記記憶部の賞品球数を該制御部に設定する払出し個数設定手段とを備え、入賞を検出した場合には、前記払出し個数設定手段により設定された、一組の多数個払い、少数個払いに対する値のうちから、前記入賞信号判定手段により判別された多数個払い、少数個払いに対する値を設定し、前記球排出装置によって賞品球を払出すパチンコ機における払出制御装置。」で一致し、以下の点で相違するものと認められる。
　
・相違点１
　本願発明は、回転体の回転量を設定することにより球排出装置が駆動制御され、賞品球数に対応する回転体の回転量の繰り返し回数が、賞品球数テーブルとして設定記憶されるのに対し、引用発明は、回転体をソレノイドによって回転可能あるいは回転不能とすることにより球排出装置が駆動制御され、賞品球数自体がＲＯＭ４７に設定記憶される点。
・相違点２
　払出し個数設定手段により制御部に設定されるのが、本願発明では、賞品球数テーブルの所定アドレスであるのに対し、引用発明では、賞品球数データの所定アドレスか否か不明である点。
・相違点３
　本願発明は、球貸し要求を検出した場合には、該球貸し要求に対応した回転体の回転量の繰り返し回数を設定し、球排出装置によって貸球を貸し出すのに対し、引用発明は、球排出装置によって貸球を貸し出すか否か不明である点。
　
（２）相違点の検討
i.　相違点１について
　パチンコ球の払出装置において、回転体の回転量を設定することにより駆動制御されることは引用例２，３等に記載されているように周知技術であり、引用発明において、回転体を回転可能あるいは回転不能とすることによりパチンコ球を払出制御する構成に換えて、当該周知技術のような回転体自体の回転量を制御する構成を採用することは当業者にとって格別困難なことではない。
　また、本願の図面又は発明の詳細な説明の記載を参照すると、本願発明の「回転体の回転量の繰り返し回数」は、対応する賞品球数と同値であり、引用発明における賞品球数に他ならないものであるので、引用発明において、回転体の回転量を設定することにより払い出される球数を決定する構成とする際に、賞品球数を設定記憶する構成に換えて、回転体の回転量の繰り返し回数を設定記憶する構成とすることは、払出制御装置の回転体が、ステッピングモータ等で駆動制御されているのか、あるいは、ソレノイドで回転可能状態と不能状態とに変換されているのか等、その制御される態様に応じて、当業者が適宜なし得た程度の単なる設計的事項にすぎない。
　してみると、引用発明において、相違点１に係る本願発明の構成とすることは当業者が容易に想到し得たものである。
　
ii.　相違点２について
　引用発明は、賞球数設定器４２〜４４の入力状態の組合せに対応させて、第１の設定賞球数及び第２の設定賞球数の複数組のデータをＲＯＭ４７に記憶しておくのであるから、そのような賞球数のデータ群が、テーブルとして記憶されていることは当業者にとって自明な事項であり、さらに、ＲＯＭ等に記憶されたデータテーブルのデータを読み出す際に、当該データに対応した所定のアドレスを指定して読み出すことは常套手段であるので、相違点２に係る本願発明の構成とすることは当業者が容易に想到し得たものである。
　
iii.　相違点３について
　パチンコ機における球排出装置が、賞品球の払い出しだけでなく、球貸し要求によって貸球を排出して貸し出すことは引用例４，５等に記載されているように周知技術であり、引用発明のパチンコ機における払出制御装置において、当該周知技術のように賞品球だけでなく貸球をも排出するように構成することは当業者にとって格別困難なことではなく、当該周知技術を採用した際に、球貸し要求に対応した回転体の回転量の繰り返し回数を設定することは、上記i.でも述べたように、回転体の回転量を設定することにより球排出装置の駆動制御を行うことが周知技術であることをも併せて考慮すれば、当業者が格別困難なく想起し得た事項であるといえるので、相違点３に係る本願発明の構成とすることは当業者が容易に想到し得たものである。
　
　そして、本願発明に係る作用効果は、引用発明及び周知技術に基づいて、当業者が予測し得るものである。
　したがって、本願発明は、引用発明及び周知技術に基づいて当業者が容易に発明をすることができたものである。
　
４．むすび
　以上のとおり、本願発明は、引用発明、引用例２，３に記載の発明及び周知技術に基づいて当業者が容易に発明をすることができたものと認められるので、特許法第２９条第２項の規定により特許を受けることができない。
　請求項１に係る発明が特許を受けることができないものである以上、この特許出願について拒絶をすべき旨の査定をしなければならないから、請求項２に係る発明については検討するまでもないものである。
　よって、結論のとおり審決する。